(57)【特許請求の範囲】
【請求項１】
被写体の光学像を撮像し静止画データまたは動画データを取得する撮像手段と、
前記撮像手段により得られた静止画データまたは動画データを記録媒体に記録する記録手段と、
前記撮像手段により得られた動画データに係る画像を表示する表示手段と、
前記表示手段による前記撮像手段により得られた動画データに係る画像の確認が可能な状態に無い場合に、動画データの記録を禁止し、前記表示手段による前記撮像手段により得られた動画データに係る画像の確認が可能な状態にあるかどうかに関わらず、静止画データの記録を禁止しないよう前記記録手段を制御する制御手段とを有することを特徴とする撮像装置。
【請求項２】
前記表示手段の表示面を前記撮像装置に向けて収納した状態であることを検出する検出手段を有し、
前記制御手段は、前記検出手段より前記表示手段の表示面を前記撮像装置に向けて収納した状態であると検出された場合に、前記動画データの記録を禁止するよう前記記録手段を制御することを特徴とする請求項１記載の撮像装置。
【請求項３】
前記制御手段は、前記表示手段が前記撮像手段により得られた動画データに係る動画の表示を停止している場合に、前記動画データの記録を禁止するよう前記記録手段を制御することを特徴とする請求項１記載の撮像装置。
【請求項４】
前記表示手段の表示面を前記撮像装置に向けて収納した状態であることを検出する検出手段を有し、
前記制御手段は、前記検出手段より前記表示手段の表示面を前記撮像装置に向けて収納した状態であると検出された場合に、前記撮像手段により得られた動画データに係る動画の表示を停止するよう前記表示手段を制御することを特徴とする請求項３記載の撮像装置。
【請求項５】
前記表示手段は、画像表示素子と前記画像表示素子に光を供給するバックライトとからなり、
前記制御手段は、前記バックライトの動作が停止している場合に、前記動画データの記録を禁止するよう前記記録手段を制御することを特徴とする請求項１記載の撮像装置。
【請求項６】
静止画撮影の指示または動画撮影の指示をする指示手段を有し、
前記記録手段は、前記静止画撮影の指示に応じて、前記撮像手段により得られた静止画データを記録媒体に記録し、前記動画撮影の指示に応じて、前記撮像手段により得られた動画データを記録媒体に記録し、
前記制御手段は、前記撮像手段により得られた動画データに係る画像の確認が可能な状態に無い場合は、前記動画撮影の指示を無効とすることにより前記動画データの記録を禁止することを特徴とする請求項１から５のいずれか１項記載の撮像装置。
【請求項７】
前記制御手段は、前記動画撮影の指示を受ける前に、設定されたシャッタ時間で撮像された前記動画データを取得するよう前記撮像手段を制御すると共に、前記設定されたシャッタ時間で撮像された動画データに係る画像を表示するよう前記表示手段を制御することを特徴とする請求項６記載の撮像装置。
【発明の詳細な説明】
【０００１】
【発明の属する技術分野】
本発明は、動画像を撮像（撮影ともいう）する撮像装置に関するものである。
【０００２】
【従来の技術】
従来、固体メモリ素子を有するメモリカードを記録媒体として、静止画像や動画像を記録再生する電子カメラ等の撮像装置は既に販売されている。この撮像装置では、撮影レンズにより撮影された光学像を光電変換素子により光電変換してなる画像データをメモリに置き、その画像データを記録媒体に転送する。
最近では動画データを作成する電子カメラも増えてきた。その場合、実際にどのような画像が撮影されているかを確認しながら撮影するのが望ましい。
【０００３】
【発明が解決しようとする課題】
このような従来の電子カメラ等の撮像装置において動画像を撮影する場合、光学ファインダではどのような動画が撮影されているか確認するのは困難であった。
【０００５】
本発明は、このような状況のもとでなされたもので、どのような動画データが作成されるか判断できない状況では撮影が行われることのない撮像装置を提供することを目的とするものである。
【０００６】
【課題を解決するための手段】
前記目的を達成するため、本発明では、撮像装置を次ぎの（１）の通りに構成する。
（１）被写体の光学像を撮像し静止画データまたは動画データを取得する撮像手段と、前記撮像手段により得られた静止画データまたは動画データを記録媒体に記録する記録手段と、前記撮像手段により得られた動画データに係る画像を表示する表示手段と、前記表示手段による前記撮像手段により得られた動画データに係る画像の確認が可能な状態に無い場合に、動画データの記録を禁止し、前記表示手段による前記撮像手段により得られた動画データに係る画像の確認が可能な状態にあるかどうかに関わらず、静止画データの記録を禁止しないよう前記記録手段を制御する制御手段とを有することを特徴とする撮像装置。
【００１３】
【発明の実施の形態】
以下本発明の実施の形態を撮像装置の実施例により詳しく説明する。なお、本発明は、撮像装置の形に限らず、実施例の説明に裏付けられて、撮像方法の形で、さらに、この撮像方法を実現するためのプログラムを格納したＣＤ−ＲＯＭなどの記憶媒体の形で実施することができる。
【００１４】
【実施例】
図１は、実施例である“撮像装置”の構成を示すブロック図である。
【００１５】
図1において、１００は撮像装置である。１０は撮影レンズ、１２は絞り機能を備えるシャッタ、１４は光学像を電気信号に変換する撮像素子、１６は撮像素子１４のアナログ信号出力をデジタル信号に変換するＡ／Ｄ変換器である。
【００１６】
１８は撮像素子１４，Ａ／Ｄ変換器１６，Ｄ／Ａ変換器２６にクロック信号や制御信号を供給するタイミング発生回路であり、メモリ制御回路２２およびシステム制御回路５０により制御される。
【００１７】
２０は画像処理回路であり、 Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０，測距制御手段４２に対して制御を行う、ＴＴＬ（スルー・ザ・レンズ）方式のＡＦ（オートフォーカス）処理，ＡＥ（自動露出）処理，ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
２２はメモリ制御回路であり、Ａ／Ｄ変換器１６，タイミング発生回路１８，画像処理回路２０，表示メモリ２４，Ｄ／Ａ変換器２６，メモリ３０，圧縮・伸長回路３２を制御する。
【００１９】
Ａ／Ｄ変換器１６のデータが画像処理回路２０，メモリ制御回路２２を介して、或いはＡ／Ｄ変換器１６のデータが画像処理回路を介することなく、直接メモリ制御回路２２を介して、画像表示メモリ２４或いはメモリ３０に書き込まれる。
【００２０】
２４は画像表示メモリ、２６はＤ／Ａ変換器、２７はＤ／Ａ変換器２６の出力を外部モニタに出力する外部出力コネクタである。外部出力コネクタ２７にコネクタが挿されている場合は外部出力接続状態検知手段１０８によりシステム制御回路５０は外部出力状態を知ることが出来る。
【００２１】
２８はＴＦＴ・ＬＣＤなどから成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダ機能を実現するモニタとして機能させることが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。さらに、画像表示部２８は、回転可能なヒンジ部によって撮像装置１００本体と結合されており、自由な向き，角度を設定して電子ファインダ機能すなわちモニタ機能や再生表示機能，各種表示機能を使用することが可能である。また、画像表示部２８の表示部分を撮像装置１００に向けて格納することが可能であり、この場合は画像表示部開閉検知手段１０６により、格納状態を検知して画像表示部２８の表示動作を停止することが出来る。
【００２３】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０は絞り機能を備えるシャッタ１２を制御する露光制御手段であり、フラッシュ４８と連携することによりフラッシュ調光機能も有するものである。
【００２６】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２７】
４８はフラッシュであり、ＡＦ補助光の投光機能，フラッシュ調光機能も有する。露光制御手段４０，測距制御手段４２はＴＴＬ方式を用いて制御されており、撮像した画像データを画像処理回路２０によって演算した演算結果に基づき、システム制御回路５０が露光制御手段４０，測距制御手段４２に対して制御を行う。
【００２８】
５０は撮像装置１００全体を制御するシステム制御回路、５２はシステム制御回路５０の動作用の定数，変数，プログラム等を記憶するメモリである。
【００２９】
５４はシステム制御回路５０でのプログラムの実行に応じて、文字，画像，音声等を用いて動作状態やメッセージ等を表示する液晶表示装置，スピーカ等の表示部であり、撮像装置１００の操作部近辺の視認し易い位置に単数或いは複数個所設置され、例えばＬＣＤやＬＥＤ，発音素子等の組み合わせにより構成されている。
【００３０】
また、表示部５４は、その一部の機能が光学ファインダ１０４内に設置されている。
【００３１】
表示部５４の表示内容のうち、ＬＣＤなどに表示するものとしては、シングルショット／連写撮影表示，セルフタイマ表示，圧縮率表示，記録画素数表示，記録枚数表示，残撮影可能枚数表示，シャッタスピード表示，絞り値表示，露出補正表示，フラッシュ表示，赤目緩和表示，マクロ撮影表示，ブザー設定表示，時計用電池残量表示，電池残量表示，エラー表示，複数桁の数字による情報表示，記録媒体２００および２１０の着脱状態表示、通信Ｉ／Ｆ動作表示，日付け・時刻表示、等がある。
【００３２】
また、表示部５４の表示内容のうち、光学ファインダ１０４内に表示するものとしては、合焦表示，手振れ警告表示，フラッシュ充電表示，シャッタスピード表示，絞り値表示，露出補正表示、等がある。
【００３３】
５６は電気的に消去・記録可能な不揮発性メモリであり、例えばＥＥＰＲＯＭなどが用いられる。
【００３４】
６０，６２，６４，６６，６８および７０は、システム制御回路５０の各種の動作指示を入力するための操作手段であり、スイッチやダイアル、タッチパネル，視線検知によるポインティング，音声認識装置等の単数或いは複数の組み合わせで構成される。
【００３５】
ここで、これらの操作手段の具体的な説明を行う。６０はモードダイアルスイッチで、電源オフ，自動撮影モード，撮影モード（パノラマ撮影モード，動画撮影モード含む），再生モード，マルチ画面再生・消去モード，ＰＣ接続モード等の各機能モードを切り替え設定することが出来る。
【００３６】
６２はシャッタスイッチＳＷ１で、不図示のシャッタボタンの操作途中でＯＮとなり、ＡＦ（オートフォーカス）処理，ＡＥ（自動露出）処理，ＡＷＢ（オートホワイトバランス）処理，ＥＦ（フラッシュプリ発光）処理等の動作開始を指示する。
【００３７】
６４はシャッタスイッチＳＷ２で、不図示のシャッタボタンの操作完了でＯＮとなり、撮像素子１２から読み出した信号をＡ／Ｄ変換器１６，メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。
【００３８】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤなどから成る画像表示部２８への電流供給を遮断することにより、省電力を図ることが可能となる。
【００３９】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４０】
７０は各種ボタンやタッチパネル等からなる操作部で、メニューボタン，セットボタン，マクロボタン，マルチ画面再生改ページボタン，フラッシュ設定ボタン，単写／連写／セルフタイマ切り替えボタン，メニュー移動＋（プラス）ボタン，メニュー移動−（マイナス）ボタン，再生画像移動＋（プラス）ボタン，再生画像−（マイナス）ボタン，撮影画質選択ボタン，露出補正ボタン，日付/時間設定ボタン等がある。
【００４１】
８０は電源制御手段で、電池検出回路，ＤＣ−ＤＣコンバータ，通電するブロックを切り替えるスイッチ回路等により構成されており、電池の装着の有無，電池の種類，電池残量の検出を行い、検出結果およびシステム制御回路５０の指示に基づいてＤＣ−ＤＣコンバータを制御し、必要な電圧を必要な期間、記録媒体を含む各部へ供給する。
【００４２】
８２はコネクタ、８４はコネクタ、８６はアルカリ電池やリチウム電池等の一次電池やＮｉＣｄ電池やＮｉＭＨ電池，Ｌｉ電池等の二次電池、ＡＣアダプタ等からなる電源である。
【００４３】
９０および９４はメモリカードやハードディスク等の記録媒体とのインタフェース、９２および９６はメモリカードやハードディスク等の記録媒体と接続を行うコネクタ、９８はコネクタ９２および或いは９６に記録媒体２００或いは２１０が装着されているか否かを検知する記録媒体着脱検知手段である。
【００４４】
なお、本実施例では記録媒体を取り付けるインタフェースおよびコネクタを2系統持つものとして説明している。もちろん、記録媒体を取り付けるインタフェースおよびコネクタは、単数或いは複数、いずれの系統数を備える構成としても構わない。また、異なる規格のインタフェースおよびコネクタを組み合わせた構成としても構わない。
【００４５】
インタフェースおよびコネクタとしては、ＰＣＭＣＩＡカードやＣＦ（コンパクトフラッシュ）カード等の規格に準拠したものを用いて構成して構わない。
【００４６】
さらに、インタフェース９０および９４、そしてコネクタ９２および９６をＰＣＭＣＩＡカードやＣＦ（コンパクトフラッシュ）カード等の規格に準拠したものを用いて構成した場合、ＬＡＮカードやモデムカード、ＵＳＢカード，ＩＥＥＥ１３９４カード，Ｐ１２８４カード，ＳＣＳＩカード，ＰＨＳなどの通信カード、等の各種通信カードを接続することにより、他のコンピュータやプリンタ等の周辺機器との間で画像データや画像データに付属した管理情報を転送し合うことが出来る。１０２は、撮像装置１００のレンズ１０を含む撮像部を覆うことにより、撮像部の汚れや破損を防止するバリアである保護手段である。
【００４７】
１０４は光学ファインダであり、画像表示部２８による電子ファインダ機能を使用することなしに、光学ファインダのみを用いて撮影を行うことが可能である。また、光学ファインダ１０４内には、表示部５４の一部の機能、例えば、合焦表示，手振れ警告表示，フラッシュ充電表示，シャッタスピード表示，絞り値表示，露出補正表示などが設置されている。
【００４８】
１０６は画像表示部開閉検知手段であり、画像表示部２８が、画像表示部２８の表示部分を撮像装置１００に向けて格納した格納状態にあるかどうかを検知することが出来る。ここで、格納状態にあると検知したならば画像表示部２８の表示動作を停止して不要な電力消費を禁止することが可能である。
【００４９】
１０８は外部出力接続状態検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００５０】
１１０は通信手段で、ＲＳ２３２ＣやＵＳＢ、ＩＥＥＥ１３９４，Ｐ１２８４，ＳＣＳＩ，モデム，ＬＡＮ，無線通信、等の各種通信機能を有する。
【００５１】
１１２は通信手段１１０により撮像装置１００を他の機器と接続するコネクタ或いは無線通信の場合はアンテナである。
【００５２】
１１４はマイクで、音声データ取得手段である。１１６はマイク１１４で得られた音声データをシステム制御５０で取得するためにＡ／Ｄ変換するＡ／Ｄ変換器である。
【００５３】
１１８はスピーカで、音声データ再生手段である。１２０はシステム制御５０から出力されるデジタル音声データをスピーカ１１８で再生するためにＤ／Ａ変換するＤ／Ａ変換機である。
【００５４】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００５５】
２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００５６】
図２ないし図７を参照して、本実施例の動作を説明する。図２および図３は本実施例の撮像装置１００の動作を示すフローチャートである。図２および図３を用いて、撮像装置１００の動作を説明する。
【００５７】
電池交換等の電源投入により、システム制御回路５０はフラグや制御変数等を初期化し（Ｓ１０１参照、以下同様）、画像表示部２８の画像表示をＯＦＦ状態に初期設定する（Ｓ１０２）。
【００５８】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（Ｓ１０５）、Ｓ１０３に戻る。
【００５９】
モードダイアル６０が撮影モードに設定されていたならば（Ｓ１０３）、Ｓ１０６に進む。
【００６０】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００６１】
システム制御回路５０は、電源制御手段８０により電池等により構成される電源８６の残容量や動作情況が撮像装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００６２】
電源８６に問題が無いならば（Ｓ１０６）、システム制御回路５０は記録媒体２００或いは２１０の動作状態が撮像装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６３】
記録媒体２００或いは２１０の動作状態に問題が無いならば（Ｓ１０７）、表示部５４を用いて画像や音声により撮像装置１００の各種設定状態の表示を行う（Ｓ１０９）。なお、画像表示部２８の画像表示がＯＮであったならば、画像表示部２８も用いて画像や音声により撮像装置１００の各種設定状態の表示を行う。
【００６４】
システム制御回路５０は、クイックレビューＯＮ／ＯＦＦスイッチ６８の設定状態を調べ（Ｓ１１０）、クイックレビューＯＮに設定されていたならばクイックレビューフラグを設定し（Ｓ１１１）、クイックレビューＯＦＦに設定されていたならばクイックレビューフラグを解除する（Ｓ１１２）。なお、クイックレビューフラグの状態は、システム制御回路５０の内部メモリ或いはメモリ５２に記憶する。
【００６５】
続いて、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【００６６】
スルー表示状態においては、撮像素子１２，Ａ／Ｄ変換器１６，画像処理回路２０，メモリ制御回路２２を介して、画像表示メモリ２４に逐次書き込まれたデータを、メモリ制御回路２２，Ｄ／Ａ変換器２６を介して画像表示部２８により逐次表示することにより、電子ファインダ機能を実現している。
【００６７】
画像表示ＯＮ／ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。
【００６８】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリ或いはメモリ５２に記憶する。
【００６９】
シャッタスイッチＳＷ１が押されていないならば（Ｓ１１９）、Ｓ１０３に戻る。シャッタスイッチＳＷ１が押されたならば（Ｓ１１９）、撮影可能条件が満たされているかチェックし（Ｓ１４２）、条件が満たされていなければＳ１０３に戻り、満たされていたらＳ１２０に進む。この撮影可能チェックは図７を用いて後述する。
【００７０】
システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００７１】
フリーズ表示状態においては、撮像素子１２，Ａ／Ｄ変換器１６，画像処理回路２０，メモリ制御回路２２を介した画像表示メモリ２４の画像データ書き換えを禁止し、最後に書き込まれた画像データを、メモリ制御回路２２，Ｄ／Ａ変換器２６を介して画像表示部２８により表示することにより、フリーズした映像を電子ファインダに表示している。
【００７２】
画像表示フラグが解除されていたならば（Ｓ１２０）、Ｓ１２２に進む。
【００７３】
システム制御回路５０は、測距処理を行って撮影レンズ１０の焦点を被写体に合わせ、測光処理を行って絞り値およびシャッタ時間を決定する（Ｓ１２２）。測光処理において、必要であればフラッシュの設定も行う。この測距・測光処理Ｓ１２２の詳細は図４を用いて後述する。
【００７４】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００７５】
シャッタスイッチＳＷ２が押されずに（Ｓ１２５）、さらにシャッタスイッチＳＷ１も解除されたならば（Ｓ１２６）、Ｓ１０３に戻る。
【００７６】
シャッタスイッチＳＷ２が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１２９に進む。
【００７７】
固定色表示状態においては、撮像素子１２，Ａ／Ｄ変換器１６，画像処理回路２０，メモリ制御回路２２を介して画像表示メモリ２４に書き込まれた撮影画像データの代わりに、差し替えた固定色の画像データを、メモリ制御回路２２，Ｄ／Ａ変換器２６を介して画像表示部２８により表示することにより、固定色の映像を電子ファインダに表示している。
【００７８】
画像表示フラグが解除されていたならば（Ｓ１２７）、Ｓ１２９に進む。
【００７９】
システム制御回路５０は、撮像素子１２，Ａ／Ｄ変換器１６，画像処理回路２０，メモリ制御回路２２を介して、或いはＡ／Ｄ変換器から直接メモリ制御回路２２を介して、メモリ３０に撮影した画像データを書き込む露光処理、および、メモリ制御回路２２そして必要に応じて画像処理回路２０を用いて、メモリ３０に書き込まれた画像データを読み出して各種処理を行う現像処理からなる撮影処理を実行する（Ｓ１２９）。この撮影処理Ｓ１２９の詳細は図5を用いて後述する。
【００８０】
システム制御回路５０は、システム制御回路５０の内部メモリ或いはメモリ５２に記憶される画像表示フラグの状態を判断し（Ｓ１３０）、画像表示フラグが設定されていたならばクイックレビュー表示を行う（Ｓ１３３）。この場合は、撮影中も画像表示部２８が電子ファインダとして常に表示された状態であり、撮影直後のクイックレビュー表示も行われる。
【００８１】
画像表示フラグが解除されていたならば（Ｓ１３０）、システム制御回路５０の内部メモリ或いはメモリ５２に記憶されるクイックレビューフラグの状態を判断し（Ｓ１３１）、クイックレビューフラグが設定されていたならば、画像表示部２８の画像表示をＯＮ状態に設定し（Ｓ１３２）、クイックレビュー表示を行う（Ｓ１３３）。
【００８２】
画像表示フラグが解除され（Ｓ１３０）、クイックレビューフラグも解除されていたならば（Ｓ１３１）、画像表示部２８がＯＦＦの状態のままＳ１３４に進む。この場合は、撮影を行った後でも画像表示部２８は消えたままであり、クイックレビュー表示も行われない。これは、光学ファインダ１０４を用いて撮影を続ける場合のように、撮影直後の撮影画像の確認が不要で、画像表示部２８のモニタ機能を使用せずに省電力を重視する使用方法である。
【００８３】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。この記録処理Ｓ１３４の詳細は図６を用いて後述する。
【００８４】
記録処理Ｓ１３４が終了した際に、シャッタスイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【００８５】
連写フラグが設定されていないならば（Ｓ１３６）、シャッタスイッチＳＷ２が放されるまで（Ｓ１３５）、現在の処理を繰り返す。
【００８６】
記録処理Ｓ１３４が終了した際にシャッタスイッチＳＷ２が放された状態であった、或いは、シャッタスイッチＳＷ２を押し続けてクイックレビュー表示を継続して撮影画像の確認を行った後にシャッタスイッチＳＷ２を放した状態であったならば（Ｓ１３５）、所定のミニマムレビュー時間が経過した後にＳ１３８に進む（Ｓ１３７）。
【００８７】
システム制御回路５０は、画像表示フラグが設定されていたならば（Ｓ１３８）、モニタとしての画像表示部２８の表示状態をスルー表示状態に設定して（Ｓ１３９）、Ｓ１４１に進む。
【００８８】
この場合、画像表示部２８でのクイックレビュー表示によって撮影画像を確認した後に、次の撮影のために撮像した画像データを逐次表示するスルー表示状態にすることが出来る。
【００８９】
画像表示フラグが解除されていたならば（Ｓ１３８）、画像表示部２８の画像表示をＯＦＦ状態に設定して（Ｓ１４０）、Ｓ１４１に進む。
【００９０】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【００９１】
シャッタスイッチＳＷ１が押された状態であったならば（Ｓ１４１）、システム制御回路５０は、Ｓ１２５に戻って次の撮影に備える。
【００９２】
シャッタスイッチＳＷ１が放された状態であったならば（Ｓ１４１）、システム制御回路５０は、一連の撮影動作を終えてＳ１０３に戻る。
【００９３】
図４は、図３のＳ１２２における測距・測光処理の詳細なフローチャートを示す。
【００９４】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理，ＥＦ（フラッシュプリ発光）処理，ＡＦ（オートフォーカス）処理に用いる所定の演算を行っている。
【００９５】
なお、ここでの各処理は、撮影した全画素数のうちの必要に応じた特定の部分を必要個所分切り取って抽出し、演算に用いている。これにより、ＴＴＬ方式のＡＥ，ＥＦ，ＡＷＢ，ＡＦの各処理において、中央重点モード，平均モード，評価モードの各モード等の異なるモード毎に最適な演算を行うことが可能となる。
【００９６】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【００９７】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
露出（ＡＥ）が適正と判断したならば（Ｓ２０２）、測定データおよび或いは設定パラメータをシステム制御回路５０の内部メモリ或いはメモリ５２に記憶する。
【００９８】
画像処理回路２０での演算結果およびＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【００９９】
ホワイトバランス（ＡＷＢ）が適正と判断したならば（Ｓ２０６）、測定データおよび或いは設定パラメータをシステム制御回路５０の内部メモリ或いはメモリ５２に記憶する。
【０１００】
ＡＥ制御およびＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１０１】
測距（ＡＦ）が合焦と判断したならば（Ｓ２０８）、測定データおよび或いは設定パラメータをシステム制御回路５０の内部メモリ或いはメモリ５２に記憶し、測距・測光処理ルーチンＳ１２２を終了する。
【０１０２】
図５は、図３のＳ１２９における撮影処理の詳細なフローチャートを示す。
【０１０３】
システム制御回路５０はモードダイアル６０を調べ、動画撮影モードの場合はＳ３５１へ、それ以外の撮影モードの場合はＳ３０１へ行く（Ｓ３００）。
【０１０４】
動画以外の撮影モードの場合は、システム制御回路５０は、システム制御回路５０の内部メモリ或いはメモリ５２に記憶される測光データに従い、露光制御手段４０によって、絞り機能を有するシャッタ１２を絞り値に応じて開放して撮像素子１０を露光する（Ｓ３０１，Ｓ３０２）。
【０１０５】
フラッシュ・フラグによりフラッシュ４８が必要か否かを判断し（Ｓ３０３）、必要な場合はフラッシュを発光させる（Ｓ３０４）。
【０１０６】
システム制御回路５０は、測光データに従って撮像素子１４の露光終了を待ち（Ｓ３０５）、シャッタ１２を閉じて（Ｓ３０６）、撮像素子１４から電荷信号を読み出し、Ａ／Ｄ変換器１６，画像処理回路２０，メモリ制御回路２２を介して、或いはＡ／Ｄ変換器１６から直接メモリ制御回路２２を介して、メモリ３０に撮影画像のデータを書き込む（Ｓ３０７）。
【０１０７】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１０８】
システム制御回路５０は、メモリ３０から画像データを読み出し、メモリ制御回路２２を介して画像表示メモリ２４に表示画像データの転送を行う（Ｓ３１１）。
【０１０９】
動画撮影モードの場合は、システム制御回路５０は撮像素子１４，Ａ／Ｄ変換機１６，画像処理回路２０，メモリ制御回路２２を介して得られた画像データを圧縮伸長回路３２で逐次データ圧縮し、メモリ３０に書き込む一連の動画像データ撮影動作を開始し（Ｓ３５１）、さらにマイク１１４，Ａ／Ｄ変換機１１６を介して得られた音声データを逐次メモリ３０に書き込む一連の音声データ録音動作を開始し（Ｓ３５２）、動画撮影終了指示を待つ（Ｓ３５３）。動画撮影が終了したら、システム制御回路５０は動画像データ撮影を終了し（Ｓ３５４）、所定時間待ち（Ｓ３５５）、音声データ録音を終了する（Ｓ３５６）。一連の処理を終えたならば、撮影処理ルーチンＳ１２９を終了する。
【０１１０】
図６は、図３のＳ１３４における記録処理の詳細なフローチャートを示す。
【０１１１】
システム制御回路５０はモードダイアル６０を調べ、動画撮影モードの場合はＳ４１１へ、それ以外の撮影モードの場合はＳ４０１へ行く（Ｓ４００）。
【０１１２】
動画以外の撮影モードの場合は、システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。そして、メモリ３０に書き込まれた画像データを読み出して、設定したモードに応じた画像圧縮処理を圧縮・伸長回路３２によって行った後（Ｓ４０２）、Ｓ４０３へ行く。
【０１１３】
動画撮影モードの場合は、システム制御回路５０はＳ１２９の処理で動画像データの撮影時間よりも長く録音された音声データの不必要部分をカットし（Ｓ４１１）、所定の動画データフォーマットに合わせるために音声データを所定の位置にコピーし（Ｓ４１２）、動画データフォーマットにしたがって動画データ（ムービーデータともいう）を作成した後（Ｓ４１３）、Ｓ４０３へ行く。
【０１１４】
動画撮影かそれ以外かに関わらず、その後システム制御回路５０はインタフェース９０或いは９４、コネクタ９２或いは９６を介して、メモリカードやコンパクトフラッシュカード等の記録媒体２００或いは２１０へ圧縮した画像データの書き込みを行う（Ｓ４０３）。記録媒体への書き込みが終わったならば、記録処理ルーチンＳ１３４を終了する。
【０１１５】
図７は、図３のＳ１４２における撮影可能判断ルーチンの詳細なフローチャートを示す。システム制御回路５０はモードダイアル６０を調べ、動画撮影モードの場合はＳ５０２へ、それ以外の撮影モードの場合はＳ５０１へ行く（Ｓ５００）。
【０１１６】
動画以外の撮影モードの場合は、システム制御回路５０は記録媒体２００或いは２１０の残容量が現撮影モードにおいて問題があるか否かを判断し、１枚も撮影不可能な残容量の場合はＮＧでＳ１４２を終え、そうでない場合はＯＫでＳ１４２を終える（Ｓ５０１）。
【０１１７】
動画撮影モードの場合は、システム制御回路５０は記録媒体２００或いは２１０の残容量が所定時間撮影可能かどうかを判断し、所定時間の撮影が不可能な残容量の場合はＮＧでＳ１４２を終え、そうでない場合はＳ５０３へ行き（Ｓ５０２）、外部出力コネクタ２７に外部モニタが接続されているかどうかを外部出力接続状態検知手段１０８によって調べ、外部モニタが接続されている場合はＯＫでＳ１４２を終え、そうでない場合はＳ５０４へ行き（Ｓ５０３）、画像表示部２８が表示可能状態かどうかを画像表示部開閉検知器１０６によって調べ、表示可能状態であったならＯＫでＳ１４２を終え、表示不可能状態であったならＮＧでＳ１４２を終える（Ｓ５０４）。
【０１１８】
このように、本実施例によれば、どのような動画データが作成されるか判断できない状況では撮影を行わないことが可能となる。
【０１１９】
なお、以上の実施例の説明においては、画像表示部２８をＯＦＦする場合に、画像表示部２８を構成する全ての要素をＯＦＦするとして説明したが、画像表示部２８の要素の一部をＯＦＦするだけでも勿論問題ない。この場合でも、撮影画像の確認と省電力を共に行う機能を備えることが出来る。例えば、画像表示部２８がＬＣＤとバックライトから構成されている場合、ＬＣＤがＯＮのままバックライトのみをＯＦＦしても、実施例での説明同様、撮影画像の確認と省電力を共に行う機能を備えることが出来る。
【０１２０】
また、画像表示ＯＮ／ＯＦＦスイッチ６６とクイックレビューＯＮ／ＯＦＦスイッチ６８は、それぞれ独立した構成として説明したが、画像表示ＯＮ／ＯＦＦスイッチ６６とクイックレビューＯＮ／ＯＦＦスイッチ６８を一つの兼用スイッチとしてまとめ、画像表示ＯＮ／クイックレビューのみ画像表示ＯＮ/画像表示ＯＦＦの3ポジションを備える構成としても勿論問題ない。
【０１２１】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、図3において、Ｓ１３７でのミニマムレビュー時間の経過を判断する処理を除去したフローチャートとすれば良い。
【０１２２】
また、スルー表示とクイックレビュー表示を行うそれぞれ専用の画像表示部を備える構成として、それらの表示部のＯＮ／ＯＦＦを画像表示ＯＮ／ＯＦＦスイッチおよびクイックレビューＯＮ／ＯＦＦスイッチの設定に応じて行う構成としても構わない。この場合も、実施例の説明と同様に、撮影画像の確認と省電力を共に行う機能を備えることが出来る。
【０１２３】
そして、画像表示ＯＮ／ＯＦＦスイッチがＯＮの場合はクイックレビューＯＮ／ＯＦＦスイッチの設定に関わらず撮影直後のクイックレビュー表示を行うものとして説明を行ったが、画像表示ＯＮ／ＯＦＦスイッチがＯＮの場合にクイックレビューＯＮ／ＯＦＦスイッチの設定に応じてクイックレビュー表示を行うか否かを決定するようにしても構わない。
【０１２４】
なお、記録媒体２００および２１０は、ＰＣＭＣＩＡカードやコンパクトフラッシュ等のメモリカード，ハードディスク等だけでなく、マイクロＤＡＴ，光磁気ディスク，ＣＤ−ＲやＣＤ−ＷＲなどの光ディスク、ＤＶＤなどの相変化型光ディスク等で構成されていても勿論問題無い。
【０１２５】
また、記録媒体２００および２１０がメモリカードとハードディスク等が一体となった複合媒体であっても勿論問題無い。さらに、その複合媒体から一部が着脱可能な構成としても勿論問題無い。
【０１２６】
そして、実施例の説明においては、記録媒体２００および２１０は撮像装置１００と分離していて任意に接続可能なものとして説明したが、いずれか或いは全ての記録媒体が撮像装置１００に固定したままとなっていても勿論問題無い。
【０１２７】
また、撮像装置１００に記録媒体２００或いは２１０が、単数或いは複数の任意の個数接続可能な構成であっても構わない。
【０１２８】
そして、撮像装置１００に記録媒体２００および２１０が装着する構成として説明したが、記録媒体は単数或いは複数の何れの組み合わせの構成であっても、勿論問題無い。
【０１２９】
【発明の効果】
以上説明したように、本発明によれば、どのような動画データが作成されるか判断できない状況では撮影が行われることがない。
【図面の簡単な説明】
【図１】  実施例の構成を示すブロック図
【図２】  実施例の動作を示すフローチャート（その１）
【図３】  実施例の動作を示すフローチャート（その２）
【図４】  測距・測光ルーチンのフローチャート
【図５】  撮影ルーチンのフローチャート
【図６】  記録ルーチンのフローチャート
【図７】  撮影可能判断ルーチンのフローチャート
【符号の説明】
１４    撮像素子
２８    画像表示部（電子ファインダ）
５０    システム制御回路
１０６  画像表示部開閉検知手段
【図１】
0004408545.tif 000002
【図２】
0004408545.tif 000003
【図３】
0004408545.tif 000004
【図４】
0004408545.tif 000005
【図５】
0004408545.tif 000006
【図６】
0004408545.tif 000007
【図７】
0004408545.tif 000008